(57)【特許請求の範囲】
【請求項１】
軽量高強度合成樹脂にて形成し、内側面と外側面とを有する盾基体部と、
この盾基体部の内側面側に設けた把手部と、
前記盾基体部の内側であって前記把手部に収納若しくは前記把手部の近傍に設けて、噴射器本体と噴射スイッチ又は噴射レバーとを備えた噴射器の噴射器本体側を固定するよう取り付ける噴射器取付手段と、
この噴射器取付手段により前記盾基体部の内側に固定されるエアゾール式の噴射器本体と、
前記噴射器本体側を前記噴射器取付手段により固定した状態で所定の操作により前記噴射器の噴射スイッチ又は噴射レバーを可動させて、充填された内容物を前記噴射器本体から吐出させることが可能な、前記把手部に位置する操作部と、
前記盾基体部の外側面に開口して形成され、前記噴射器取付手段にて取り付け固定される噴射器本体の吐出部に連通され、前記噴射器本体から吐出する内容物を前記盾基体部の内側面側から外部へ噴射させる吐出口と
を具備し、前記吐出口と前記噴射器本体の吐出部とを一直線上に配置したことを特徴とする防護用盾。
【請求項２】
噴射器本体を把手部の近傍に取り付ける防護用盾であって、
軽量高強度合成樹脂にて形成し、内側面と外側面とを有する盾基体部と、
この盾基体部の内側面側に設けた把手部と、
前記盾基体部の内側であって前記把手部との間に設けて、噴射器本体と噴射スイッチとを備えた噴射器の噴射器本体の底部を保持してこの噴射器本体を盾基体部側に固定する噴射器取付手段と、
この噴射器取付手段により前記盾基体部の内側に固定されたエアゾール式の噴射器本体と、
前記噴射器本体側を前記噴射器取付手段により盾基体部側に固定した状態で押し込み操作によって、前記噴射器の噴射スイッチを可動させて、充填された内容物を前記噴射器本体から吐出させるように、前記把手部を握ったとき手の親指を当接させ易い前記把手部の位置に配置した操作部と、
前記盾基体部の外側面に開口して形成され、前記噴射器取付手段に取り付け固定される噴射器本体の吐出部に連通され、前記噴射器本体から吐出する内容物を前記盾基体部の内側面側から外部へ噴射させる吐出口と
を具備し、前記吐出口と前記噴射器本体の吐出部とを一直線上に配置したことを特徴とする防護用盾。
【請求項３】
前記噴射器内に内蔵される内容物は、対人撃退組成物、マーキング剤の少なくとも一方を含有することを特徴とする請求項１又は２に記載の防護用盾。
【請求項４】
前記盾基体部は、ポリカーボネート樹脂により形成したことを特徴とする請求項１ないし３のいずれかに記載の防護用盾。
【請求項５】
前記盾基体部の内側面には、前記噴射器取付手段が複数取り付けられていることを特徴とする請求１ないし４のいずれか一つに記載の防護用盾。
【請求項６】
前記盾基体部は、少なくとも噴射器本体の取り付け固定位置を半透明又は不透明にすると共に、前記盾基体部の噴射器本体の取り付け固定位置より上側の少なくとも一部を透明にしたことを特徴とする請求項１ないし５のいずれか一つに記載の防護用盾。
【発明の詳細な説明】
【０００１】
【発明の属する技術分野】
本発明は、強盗や暴漢等の外敵の攻撃から人体を防護する防護用盾に係り、特に外敵への対処をあまり訓練されていない使用者に好適な防護用盾に関する。
【０００２】
【従来の技術】
従来、警護用・防護用盾としてはジュラルミン製の盾が用いられていた。
【０００３】
さらに近年では、コンビニエンスストアや貴金属店、銀行、その他金融機関等を狙った強盗犯罪等が増加しており、いわゆる防犯グッズ等の防犯用具の需要が高まっている。
【０００４】
このような防犯用具の例としては、カラシ抽出物等の刺激性組成物と噴射剤を封入したエアゾールが痴漢撃退用等の催涙スプレーとして用いられている。
【０００５】
また、特開２００１−３１５８７２号公報に記載の発明では、操作性を向上したエアゾール容器のレバー構造が提案されている。
【０００６】
【発明が解決しようとする課題】
上述したように従来の警護用・防護用盾は、ジュラルミン製で重いため、訓練された警察官等の特定の人以外では上手く使用するのが困難であった。
【０００７】
また、刃物を用いた暴漢等、近距離に存在する暴漢に対して撃退あるいは攻撃する従来の手段としては、催涙スプレー等の対人撃退用スプレーが発案されているが、咄嗟の際には、盾を片手に持ち、対人撃退用スプレーを同時にもう一方の手に持って対処するのは困難であった。特に、暴漢や強盗等の外敵への対処法をあまり訓練されていないコンビニエンスストアや銀行等の店員の場合は、防御の他に撃退や攻撃を加えようとして、片手に盾、もう一方の手に攻撃具を持つことができたとしても、攻撃具を持った手を暴漢に向けて露呈し攻撃するのには心理的に抵抗があった。
【０００８】
本発明は、これらの事情に鑑みてなされたものであり、防護用盾全体が軽量であるとともに、盾基体部の内側面に噴射器を備えることができるようにして、強盗や暴漢等の外敵からの攻撃を防御しながら外敵に対して噴射器から威嚇、撃退、攻撃、逃亡追跡のうち少なくとも一つの効果が得られる物質を容易に噴射でき、暴漢や強盗などの外敵への対処法をあまり訓練されていないコンビニエンスストア、銀行等の店員等であっても、容易に扱うことが可能であり、防犯効果を高めることができる防護用盾を提供することを目的とする。
【０００９】
【課題を解決するための手段】
前記目的を達成するため本願発明の防護用盾は、軽量高強度合成樹脂にて形成し、内側面と外側面とを有する盾基体部と、
この盾基体部の内側面側に設けた把手部と、
前記盾基体部の内側であって前記把手部に収納若しくは前記把手部の近傍に設けて、噴射器本体と噴射スイッチ又は噴射レバーとを備えた噴射器の噴射器本体側を固定するよう取り付ける噴射器取付手段と、
この噴射器取付手段により前記盾基体部の内側に固定されるエアゾール式の噴射器本体と、
前記噴射器本体側を前記噴射器取付手段により固定した状態で所定の操作により前記噴射器の噴射スイッチ又は噴射レバーを可動させて、充填された内容物を前記噴射器本体から吐出させることが可能な、前記把手部に位置する操作部と、
前記盾基体部の外側面に開口して形成され、前記噴射器取付手段にて取り付け固定される噴射器本体の吐出部に連通され、前記噴射器本体から吐出する内容物を前記盾基体部の内側面側から外部へ噴射させる吐出口と
を具備し、前記吐出口と前記噴射器本体の吐出部とを一直線上に配置したことを特徴とする。
また、本願発明の他の防護用盾は、噴射器本体を把手部の近傍に取り付ける防護用盾であって、
軽量高強度合成樹脂にて形成し、内側面と外側面とを有する盾基体部と、
この盾基体部の内側面側に設けた把手部と、
前記盾基体部の内側であって前記把手部との間に設けて、噴射器本体と噴射スイッチとを備えた噴射器の噴射器本体の底部を保持してこの噴射器本体を盾基体部側に固定する噴射器取付手段と、
この噴射器取付手段により前記盾基体部の内側に固定されたエアゾール式の噴射器本体と、
前記噴射器本体側を前記噴射器取付手段により盾基体部側に固定した状態で押し込み操作によって、前記噴射器の噴射スイッチを可動させて、充填された内容物を前記噴射器本体から吐出させるように、前記把手部を握ったとき手の親指を当接させ易い前記把手部の位置に配置した操作部と、
前記盾基体部の外側面に開口して形成され、前記噴射器取付手段に取り付け固定される噴射器本体の吐出部に連通され、前記噴射器本体から吐出する内容物を前記盾基体部の内側面側から外部へ噴射させる吐出口と
を具備し、前記吐出口と前記噴射器本体の吐出部とを一直線上に配置したことを特徴とする。
【００１０】
請求項２に記載の防護用盾は、軽量高強度合成樹脂で形成し、内側面と外側面を有する盾基体部と、この盾基体部の内側面に設けた把手部と、前記盾基体部の内側に設けて、噴射器を取り付ける噴射器取付手段と、前記把手部に位置し、所定の操作により前記噴射器に充填された内容物を前記噴射器から吐出させることが可能な操作部と、前記盾基体部の外側面に開口して形成され、前記噴射器取付手段に取り付ける噴射器の吐出部に連通され、前記噴射器から吐出する内容物を前記盾基体部の内側面側から外部へ噴射させる吐出口と、を具備したことを特徴とする。
【００１１】
請求項３に記載の防護用盾は、請求項１または２に記載の防護用盾であって、前記噴射器はエアゾールであることを特徴とする。
【００１２】
請求項４に記載の防護用盾は、請求項１乃至３のいずれか一つに記載の防護用盾であって、前記噴射器に内蔵される内容物は、対人撃退組成物、マーキング剤の少なくとも一方を含有することを特徴とする。
【００１３】
請求項５に記載の防護用盾は、請求項１乃至４のいずれか一つに記載の防護用盾であって、前記盾基体部はポリカーボネート樹脂により形成したことを特徴とする。
【００１４】
請求項６に記載の防護用盾は、請求項１乃至５のいずれか一つに記載の防護用盾であって、前記盾基体部の内側面には、前記噴射器取付手段が複数取り付けられていることを特徴とする。
【００１５】
請求項７に記載の防護用盾は、請求項１乃至６のいずれか一つに記載の防護用盾であって、前記盾基体部は、少なくとも噴射器の取り付け位置を半透明または不透明にするとともに、前記盾基体部の噴射器の取り付け位置より外側の少なくとも一部を透明にしたことを特徴とする。
【００１６】
請求項８に記載の防護用盾は、請求項１乃至７のいずれか一つに記載の防護用盾であって、前記噴射器取付手段は前記把手部に内蔵されていることを特徴とする。
【００１７】
請求項１、３乃至８に記載の防護用盾を使用する場合、まず、使用者は、前記盾基体部の内側面に設けられた前記把手部を把持して、前記防護用盾の外側面を強盗や暴漢等の外敵に対しに向けて、外敵の刃物等の攻撃から身を守るとともに、場合により前記噴射器の操作部を操作して前記噴射器の内容物を暴漢に向けて噴射する。
【００１８】
請求項２乃至８に記載の防護用盾を使用する場合、まず、使用者は、前記盾基体部の内側面に設けられた前記把手部を把持して、前記防護用盾の外側面を強盗や暴漢等の外敵に対しに向けて、外敵の刃物等の攻撃から身を守るとともに、場合により前記把手部に設けられた操作部を操作して前記噴射器の内容物を暴漢に向けて噴射する。
【００１９】
請求項１乃至８に記載の構成により、前記盾基体部を軽量高強度合成樹脂で形成したので、前記防護用盾の軽量化を図れるとともに、使用者は前記盾基体部の内側面に配置された操作部を操作することにより、前記噴射器に充填された内容物が前記吐出口を通して吐出するので、強盗や暴漢等の外敵に対して威嚇、撃退、攻撃、逃亡追跡のうち少なくとも一つの効果が得られる物質を容易に噴射できる。
【００２０】
請求項７及び８に記載の構成により、強盗や暴漢等の外敵に対して噴射器を隠すことが可能で、前記噴射器に内容物を吐出させるまで、強盗や暴漢等の外敵を油断させることができる。
【００２１】
本発明に用いられる噴射器に充填された内容物としては、対人撃退組成物であれば、クロルアセトフェノンやイソチオシアン酸アリル等の催涙組成物が用いられる。また、噴射器には、撃退用ではなく逃亡しそうになる暴漢に対してマーキング剤を噴射させてもてもよい。このマーキング剤としては、容易に剥離しない塗料または有臭組成物であれば特に制限はないが、蛍光あるいは夜光塗料が好ましい。また、マーキング剤としては、人間に検知できなくても警察犬等の犬に特に検知できる有臭組成物であっても良い。
【００２２】
また、本発明に用いられる合成樹脂製の盾基体部は、軽量かつ高強度の材料が好ましく、特にジュラルミンに比べ軽量なポリカーボネート樹脂が好ましい。
【００２３】
また、本発明に用いられる噴射器は、充填された内容物を吐出し強盗や暴漢等の外敵に対し噴射できるものであれば特に制限はなく、内容物をカプセル化した弾丸状物を発射あるいは投射できるようにしたり内容物を噴霧できるトリガーポンプ式噴霧器やエアゾールが用いられ、前記催涙組成物や対人撃退組成物、マーキング剤と噴射剤から成るエアゾール剤を用いたエアゾールが、簡便かつ操作性も容易のため好ましい。
【００２４】
また、盾基体部に設けられた把手部近傍には、噴射器の吐出操作を行う操作部が設けられていることが好ましい。
【００２５】
また、本発明に用いられる噴射器は、内容物を変えて、または変えずに複数用意して盾基体部内側面に取り付けておくことが好ましい。噴射器を内容物を変えて複数設ける場合において、例えば、暴漢撃退用の催涙スプレーと逃亡追跡用マーキング剤を封入したスプレーの２つを取り付けておけば、場面に応じて適切な内容物を噴射することができるため好ましい。また、複数の噴射器に同一の内容物を内蔵してもよく、この場合、噴射器の一つは予備として即座に噴射できるよう取り付けておけば、万一一つが故障しても予備の噴射器が機能して外的への攻撃が行えるため好ましい。
【００２６】
【発明の実施の形態】
以下、本発明の実施の形態を図面を参照して説明する。
図１乃至図６は本発明の第１の実施の形態に係り、図１は防護用盾を示す斜視図、図２は図１の防護用盾の背面図、図３は図１の防護用盾の正面図、図４は防護用盾の右手用把手部を取り付けた部分の断面図、図５は防護用盾の噴射器を取り付けた部分の断面図、図６は噴射器及びその周辺部を示す斜視図である。
【００２７】
図１及び図３に基づいて第１の実施の形態の全体構成を説明する。
図１に示すように、防護用盾１は、盾基体部２と、把手部３，４と、噴射器５と、吐出口２３と、操作部６と、金具１１，１２を具備して構成されている。
盾基体部２は、軽量高強度合成樹脂で形成し、内側面２１と外側面２２とを有する。
【００２８】
把手部３，４は、この盾基体部２の内側面２１に設けられている。
噴射器５は、前記盾基体部２の内側面２１に取り付けられている。
吐出口２３は、前記盾基体部２の外側面に開口して形成され、前記噴射器５の吐き出し部（図５に示すノズル５３）に連通され、前記噴射器５のノズル５３から吐出する内容物を前記盾基体部２の外側面２２側に噴射させる。
【００２９】
操作部６は、前記盾基体部２の内側面２１に設けられ、所定の操作により前記噴射器５に充填された内容物を前記吐出口２３を通して吐出させることが可能になっている。
【００３０】
金具１１，１２は、前記盾基体部２の内側に設けて、噴射器５を取り付ける噴射器取付手段となっている。
さらに詳細に説明すると、盾基体部２は、軽量高強度合成樹脂としてポリカーボネート樹脂を加工して形成している。盾基体部２の内側面２１には、把手部として、左手用把手部３及び右手用把手部４を設けている。これにより、防護用盾１は、両手で把持することができるようになっている。
【００３１】
内側面２１の前記把手部４の近傍には、噴射器５を取り付けている。噴射器５には、内容物として対人撃退用組成物を内蔵したエアゾールを用いている。この噴射器５には噴射スイッチ５１が設けられている。
【００３２】
噴射器５は、金具１１，１２によって容器本体５２が盾基体部２の内側面２１にねじを外すことで取り外し可能な状態で取り付けられている。
把手部４を握った際に親指で操作できる位置には、操作部６を設けている。操作部６は、連動板６１を介して噴射器５に設けられた噴射スイッチ５１を連動して操作できる。
【００３３】
前記盾基体部２の縁部には、湾曲部２４が形成されている。
このような構造により、防護用盾１は、前記操作部６を押圧操作することで、噴射スイッチ５１が連動して押し下げられ、噴射器５から対人撃退用組成物が吐出口２３を通って外側面２２側へ勢い良く噴射される。
【００３４】
図２に示すように、盾基体部２は縦長の略長方形に形成されている。左手用把手部３と右手用把手部４は盾基体部２の同じ高さの位置にもうけられている。金具１１は、帯状に形成されており、噴射器５の容器本体５２を盾基体部２に押さえ付けている。金具１２は、容器本体５２の底部を下側から支えている。
【００３５】
吐出口２３は、盾基体部２の噴射スイッチ５１に対応した位置に形成されている。連動板６１は操作部６に連動して上下するようになっている。連動板６１の下側には、噴射スイッチ５１が配置している。
【００３６】
図３に示すように、金具１１は、外側面２２から挿入された左右２つのねじ１３によって、盾基体部２にねじ止め固定されている。金具１２は、外側面２２から挿入された左右２つのねじ１４によって、盾基体部２にねじ止め固定されている。把手部３は、外側面２２から挿入された上下２つのねじ１５によって、盾基体部２にねじ止め固定されている。把手部４は、外側面２２から挿入された上下２つのねじ１６によって、盾基体部２にねじ止め固定されている。
【００３７】
吐出口２３からは、噴射器５の噴射スイッチ５１に設けられたノズル５３が露出している。
図４に示すように、盾基体部２は、上下２つのねじ１６のねじ部が挿入され挿入孔２５が形成されている。前記盾基体部２の湾曲部２４は、内側面２１に向けて円弧状に湾曲されて形成されている。
【００３８】
図４乃至図６に示すように、操作部６は連動ピン６２の一端側に取り付け固定されている。連動ピン６２は、把手部４の上部に形成された貫通孔４１に挿入されている。連動ピン６２の他端側は、連動板６１が取り付け固定されている。
【００３９】
連動板６１の下側には、噴射器５の噴射スイッチ５１が配置し、噴射スイッチ５１の下側に噴射器５の容器本体５２が配置している。
前記盾基体部２に形成された吐出口２３には、噴射スイッチ５１に設けられたノズル５３が挿入されており、このノズル５３の噴射口から吐出口２３を介して外側面２２側へ対人撃退用組成物が噴射される。
【００４０】
図５に示すように、金具１２は、Ｌ字状に形成されており、容器本体５２を下側から支えている。これにより、操作部６の押圧により連動板６１が下げられ、噴射器５の噴射スイッチ５１が下方に押圧された場合にも、容器本体５２が金具１１から下方に滑るのを防止している。
【００４１】
図６に示すように、噴射器５の容器本体５２の上面中央には噴射バルブ５４が設けられており、噴射スイッチ５１は、噴射バルブ５４のステムに取り付けられている。噴射器５は、噴射スイッチ５１を押すことで、噴射バルブ５４が押し下げられ、容器本体５２に内蔵した対人撃退用組成物が噴射バルブ５４及びノズル５３を介して噴射するようになっている。
【００４２】
連動板６１は、上面の一端側が連動ピン６２に接続固定し、下面の他端側で噴射スイッチ５１を押圧するようになっている。本実施の形態では、連動板６１を適切な長さに形成することにより、把手部４と噴射器５の間に指を挿入できる隙間を設けている。
【００４３】
次に、防護用盾１の使用方法を説明する。
使用者は、左右の手でそれぞれ左手用把手部３及び右手用把手部４を保持する。そして、防護用盾１の外側面２２を強盗や暴漢等の外敵に向け、外敵の刃物等の攻撃から身を守る。次に、右手の親指を操作部６に当て、操作部６を押す。これにより、連動ピン６２を介して連動板６１が押し下げられ、噴射スイッチ５１が押され、容器本体５２に内蔵した対人撃退用組成物がノズル５３を介して吐出口２３から強盗や暴漢等の外敵に向けて噴射される。これにより、強盗や暴漢等の外敵を撃退できる。この場合、操作部６の操作は、防護用盾１の内側面２１側で行えるので、操作を行う場合の心理的な抵抗が少ない。
【００４４】
以上、説明したように本実施の形態によれば、軽量であるとともに、強盗や暴漢等の外敵に対して撃退の効果が得られる物質を容易に噴射できるので、暴漢や強盗等の外敵への対処法をあまり訓練されていないコンビニエンスストアや銀行等の店員の場合にも、容易に扱うことが可能になり、防犯効果を高めることが可能になる。
【００４５】
ここで、盾基体部２の大きさは特に制限はないが、顔や少なくとも上半身が隠れるぐらいの大きさが好ましく、高さ２５ｃｍ〜１５０ｃｍ×幅１５ｃｍ〜９０ｃｍ×厚さ０．ｌｃｍ〜１ｃｍが特に好ましい。なお、盾基体部２をポリカーボネート樹脂で製造した場合には、軽量かつ高強度であるため、厚みが２ｍｍ程度有れば刃物を貫通させない強度となり、５ｍｍ程度有れば銃弾を跳ね返す強度となるため、盾基体部２の厚さとしては、１．５ｍｍ〜５ｍｍ程度が特に好ましい。
【００４６】
なお、ポリカーボネート樹脂の比重は約１．２であるから、ジュラルミン等のアルミ合金比重を２．７５で算出すると、同程度の強度を有するものであっても、半分以下の重量で製造することができる。
【００４７】
また、盾基体部２の形状としては特に制限はないが、円形、楕円形、正方形、長方形、野球のホームベース形、人体形状等が好ましく、取り扱い性の点で楕円形または長方形が特に好ましい。また、盾基体部２の形状が楕円あるいは長方形の場合には盾基体部２の中央より上方に平行して左手用把手部３、右手用把手部４を設けると、両手で強固に把持することができ、暴漢に対する防衛力が高まるため好ましい。
【００４８】
なお、盾基体部２にポリカーボネート樹脂を用いれば、透明度の高い盾を製造することができ、視認性が良いため噴射器５から暴漢等に対人撃退用組成物を的確に噴射できる。
【００４９】
また、噴射器５としては、暴漢を威嚇・撃退・攻撃するための内容物を、あるいは暴漢が逃亡しそうになった際に追跡するためのマーキング剤等の内容物を、暴漢に噴射できれば特に制限はなく、好ましくは液体の内容物を噴射できる噴射器が好ましい。特に好ましくは、前記液体の内容物と噴射剤とを内蔵したエアゾールが用いられる。また、エアゾールは、殺虫剤等に用いられる噴射力が強力なタイプが特に好ましく、対象物が３〜５ｍ程度離れていても到達するものがよい。なお、エアゾールの噴射剤や噴射用バルブは殺虫剤等に用いられている既存のものが利用でき、内容物を１回の操作で全量噴射できるものが好ましく用いられる。
【００５０】
噴射器５の内容物としては、対人撃退組成物を用いることができ、例えば、クロルアセトフェノン、イソチオシアン酸アリル、トウガラシ抽出物、マスタード抽出物等の種種のものが用いられる。第１の実施の形態では、イソチオシアン酸アリル０．２ｗｔ％、溶剤３０ｗｔ％、噴射剤として高圧ガス６９．８ｗｔ％を調製し、１００ｍｌの内容物を得た。この内容物を直径４５ｍｍφのエアゾール容器に封入し、図６に示す噴射バルブ５４を取り付け、さらに操作しやすいように連動ピン６２と連動板６１による連動部を有する操作部６を設けた。このような材質による盾基体部２と噴射器５のこの重量は成人男性であれば片手で振り回すことこも容易であり、操作部が把手部にあるため操作しやすく、また、透明の盾となるため対象に対して噴射するのも容易であった。
【００５１】
なお、内容物は、対人撃退組成物とマーキング剤の２種を混合して用いても良く、どちらか一方であっても良い。
また、噴射器５を盾基体部２の内側面２１に固定して取り付ける噴射器取付手段としては特に制限はないが、噴射器固定用係止部を盾基体部２の内側面２１の任意の位置に設けることにより固定するのが好ましい。さらに、この防護用盾を振り回しても容易に脱落しないように噴射器５を接着テープや面ファスナー等で固定するようにしても良い。
【００５２】
図７は本発明の第２の実施の形態に係る防護用盾の右手用把手部を取り付けた部分の断面図である。第２の実施の形態において、図示以外の部分は第１の実施の形態と同様になっている。
【００５３】
図７に示すように、第２の実施の形態の防護用盾１０１は、右手用把手部１０４に、噴射器１０５を内蔵している。
把手部１０４は、把手部本体１４１とカバー部１４２とから構成されている。カバー部１４２は把手部本体１４１に例えばねじ止めにより固定可能になっている。噴射器１０５は、把手部本体１４１とカバー部１４２の間に収納される。
【００５４】
盾基体部１０２には、上下２つのねじ１１６のねじ部が挿入され挿入孔１２５が形成されている。把手部本体１４１は、外側面１２２から挿入された上下２つのねじ１１６によって、盾基体部１０２の内側面１２１にねじ止め固定されている。
【００５５】
把手部１０４を握った際に親指で操作できる位置には、操作部１０６を設けている。操作部１０６は連動ピン１６２の一端側に取り付け固定されている。連動ピン１６２は、把手部本体１４１とカバー部１４２の間に形成される貫通孔１４３に挿入されている。連動ピン６２の他端側は、脱落防止用のフランジ部１６１が形成され固定されている。フランジ部１６１の下側には、噴射器１０５の噴射スイッチ１５１が配置している。
【００５６】
噴射器１０５の容器本体１５２は、把手部本体１４１とカバー部１４２の間に挟まれて固定されている。把手部本体１４１には、噴射器１０５のノズル１５３が挿入される貫通孔１４４が形成されている。吐出口１２３は、盾基体部１０２の貫通孔１４４に対応した位置に形成されている。噴射器１０５のノズル１５３の先端は、吐出口１２３に挿入される。
【００５７】
このような構造により、前記把手部１０４は、前記噴射器１０５を取り付ける噴射器取付手段を内蔵している。
次に、防護用盾１０１の使用方法を説明する。
使用者は、左右の手で左手用把手部３（図１参照）及び右手用把手部１０４を保持する。次に、右手の親指を操作部１０６に当て、操作部１０６を押す。これにより、連動ピン１６２を介してフランジ部１６１が押し下げられ、噴射スイッチ１５１が押され、容器本体１５２に内蔵した対人撃退用組成物がノズル１５３を介して吐出口１２３から強盗や暴漢等の外敵に向けて噴射される。
【００５８】
このような実施の形態によれば、第１の実施の形態と同様の効果が得られるとともに、噴射器１０５を右手用把手部１０４に収納できるので、強盗や暴漢等の外敵に対して噴射器１０５を隠すことが可能で、前記噴射器１０５に内容物を吐出させるまで、強盗や暴漢等の外敵を油断させることができる。
【００５９】
尚、図７の第２の実施の形態では、右手用把手部１０４のみに噴射器１０５を収納したが、第２の実施の形態の変形例として、左手用把手部及びその周辺部を右手用把手部１０４側と同じ構造にして、左手用把手部にも噴射器も収納するように構成してもよい。
【００６０】
この変形例において、右手用把手部１０４の噴射器１０５と左手用把手部の噴射器とで内容物を変えたとする。例えば、暴漢撃退用の催涙スプレーと逃亡追跡用マーキング剤を封入した噴射器の計２つを取り付けておけば、場面に応じて適切な内容物を噴射できる。
【００６１】
また、この変形例において、右手用把手部１０４の噴射器１０５と左手用把手部の噴射器は、同一の内容物であっても良く、一つは予備として即座に噴射できるよう取り付けておけば、万一一つが故障しても予備の噴射器が機能して外敵に対して内容物を噴射できる。
【００６２】
図８は本発明の第３の実施の形態に係る防護用盾の右手用把手部を取り付けた部分の断面図である。第３の実施の形態において、図示以外の部分は第１の実施の形態と同様になっている。
【００６３】
図８において、第３の実施の形態の防護用盾２０１は、右手用の把手部２０４と盾基体部２０２の間に噴射器２０５を設け、噴射器２０５と右手用の把手部２０４とを直線的に配置している。
【００６４】
把手部２０４は、外側面２２２から挿入孔２２５に挿入された上下２つのねじ２１６によって、盾基体部２０２の内側面２２１にねじ止め固定されている。
噴射器２０５は、金具２１１，２１２によって容器本体２５２が盾基体部２０２の内側面２２１に取り付けられている。
【００６５】
把手部２０４を握った際に親指が当接する位置には、操作部２０６を設けている。操作部２０６は連動ピン２６２の一端側に取り付け固定されている。連動ピン２６２は、把手部２０４の上部に形成された貫通孔２４１に挿入されている。連動ピン２６２の他端側は、脱落防止用のフランジ部２６１が形成されている。フランジ部２６１の下側には、噴射器２０５の噴射レバー２５１が配置している。
【００６６】
噴射器２０５は、噴射レバー２５１が押されることで、ノズル２５３から内容物を噴射するようになっている。噴射器２０５のノズル２５３の先端は、盾基体部２０２の吐出口２２３に挿入される。
【００６７】
次に、防護用盾２０１の使用方法を説明する。
使用者は、右手の親指を操作部２０６に当て、操作部２０６を押す。これにより、連動ピン２６２を介してフランジ部２６１が押し下げられ、噴射レバー２５１が押され、容器本体２５２に内蔵した対人撃退用組成物がノズル２５３を介して吐出口２２３から強盗や暴漢等の外敵に向けて噴射される。
【００６８】
このような第３の実施の形態によれば、第１の実施の形態と同様の効果が得られるとともに、噴射器２０５が右手の前側に配置されるため、操作者が対人撃退用組成物が噴射される方向を感覚的に理解しやすくなるという効果もある。
【００６９】
図９は本発明の第４の実施の形態に係る防護用盾の右手用把手部を取り付けた部分の断面図である。第４の実施の形態において、図示以外の部分は第１の実施の形態と同様になっている。
【００７０】
図９において、第４の実施の形態の防護用盾３０１は、盾基体部３０２の内側面３２１から外側面３２２に対し膨出部３２６を設けて、この膨出部３２６に噴射器３０５を収容するとともに、噴射器３０５と右手用把手部３０４とを直線的に配置している。
【００７１】
盾基体部３０２は、膨出部３２６から上側及び下側の位置に、上下２つの挿入孔３２５が形成されている。把手部３０４は、外側面３２２から上下２つの挿入孔３２５に挿入された上下２つのねじ３１６によって、盾基体部３０２の内側面３２１にねじ止め固定されている。
【００７２】
噴射器３０５は、金具３１１によって容器本体３５２が盾基体部３０２の内側面３２１に取り外し可能な状態で取り付けられている。
把手部３０４を握った際に人差し指に近接する位置には、噴射器３０５の噴射レバー３５１が配置している。噴射器３０５は、キャップ３５５に対して噴射レバー３５１が引かれることで、ノズル３５３から内容物を噴射するようになっている。
【００７３】
噴射器３０５のノズル３５３の先端は、盾基体部３０２の吐出口３２３に挿入される。
次に、防護用盾３０１の使用方法を説明する。
使用者は、右手で把手部３０４を保持し、右手の人差し指を噴射レバー３５１の内側に当て、噴射レバー３５１を引く。これにより、容器本体３５２に内蔵した対人撃退用組成物がノズル３５３を介して吐出口３２３から強盗や暴漢等の外的に向けて噴射される。
【００７４】
このような第４の実施の形態によれば、第３の実施の形態と同様の効果が得られるとともに、膨出部３２６の内側に噴射器３０５を固定したことで、噴射器３０５をより強固に固定でき、噴射器３０５の噴射レバー３５１を直接操作すればよいので、使用者に操作方法をより容易に理解させることができる。
【００７５】
図１０は本発明の第５の実施の形態に係る防護用盾の背面図である。
図１０において、第５の実施の形態の防護用盾４０１は、盾基体部４０２と、左右両用の把手部４と、噴射器５と、吐出口４２３と、操作部６とから構成されている。
【００７６】
左右両用の把手部４は、盾基体部４０２の左右を分割する中央の位置に設けられている。
噴射器５、金具１１，１２及び吐出口４２３は、盾基体部４０２の把手部４の左側の位置に設けられている。連動板６１は操作部６に連動して上下するようになっている。連動板６１の下側には、噴射スイッチ５１が配置している。
【００７７】
尚、前記盾基体部４０２は、噴射器５の取り付け位置より上側を透明となる透明部４２６とし、その下側を塗料等により不透明にした不透明部４２７としている。
【００７８】
このような第５の実施の形態によれば、第１の実施の形態と同様の効果が得られるとともに、噴射器５を不透明部４２７の内側面４２１に設けているので、強盗や暴漢等の外敵に対して噴射器５を隠すことが可能で、前記噴射器５に内容物を吐き出させるまで、強盗や暴漢等の外敵を油断させることができる。
【００７９】
尚、前記盾基体部４０２は、図１０の構成に限らず、少なくとも噴射器５の取り付け位置を半透明または不透明にするとともに、前記盾基体部４０２の噴射器５の取り付け位置より外側の少なくとも一部を透明にすればよい。盾基体部４０２を半透明または不透明にする方法としては、塗装による方法以外に盾基体部の形成前の材質に顔料を混ぜる方法等がある。
【００８０】
尚、第１、第３乃至第５の実施の形態では、前記盾基体部の内側面に、前記噴射器及び／または噴射器取付手段を一つだけ設けるように構成したが、前記噴射器及び／または噴射器取付手段を複数取り付け、これに合わせて吐出口や操作部を複数設けるようにしてもよい。また、防護用盾は、噴射器を別売にして販売するように構成してもよい。
【００８１】
【発明の効果】
以上述べた様に本発明によれば、防護用盾全体が軽量であるとともに、盾基体部の内側面に噴射器を備えることができるため、強盗や暴漢等の外敵の攻撃を防御しながら外敵に対して噴射器から威嚇、撃退、攻撃、逃亡追跡のうち少なくとも一つの効果が得られる物質を容易に噴射できる。これにより暴漢や強盗等の外敵への対処法をあまり訓練されていないコンビニエンスストアや銀行等の店員の場合にも、容易に扱うことが可能になり、防犯効果を高めることが可能になる。
【図面の簡単な説明】
【図１】本発明の第１の実施の形態に係る防護用盾を示す斜視図。
【図２】図１の防護用盾の背面図。
【図３】図１の防護用盾の正面図
【図４】図１の防護用盾の右手用把手部を取り付けた部分の断面図。
【図５】図１の防護用盾の噴射器を取り付けた部分の断面図。
【図６】図１の噴射器及びその周辺部を示す斜視図。
【図７】本発明の第２の実施の形態に係る防護用盾の右手用把手部を取り付けた部分の断面図。
【図８】本発明の第３の実施の形態に係る防護用盾の右手用把手部を取り付けた部分の断面図。
【図９】本発明の第４の実施の形態に係る防護用盾の右手用把手部を取り付けた部分の断面図。
【図１０】本発明の第５の実施の形態に係る防護用盾の斜視図。
【符号の説明】
１        …防護用盾
２        …盾基体部
３，４    …把手部
５        …噴射器
６        …操作部
２１      …内側面
２２      …外側面
２３      …吐出口
５１      …噴射スイッチ
【図１】
0003595800.tif 000002
【図２】
0003595800.tif 000003
【図３】
0003595800.tif 000004
【図４】
0003595800.tif 000005
【図５】
0003595800.tif 000006
【図６】
0003595800.tif 000007
【図７】
0003595800.tif 000008
【図８】
0003595800.tif 000009
【図９】
0003595800.tif 000010
【図１０】
0003595800.tif 000011